(57)【要約】【課題】撮影された像の周辺部分において良好な解像性能を実現することで、光学特性が悪化する虞を低減することを可能とする、撮像レンズ、撮像モジュール、および、携帯情報機器を提供する。【解決手段】撮像レンズ１００は、第１レンズＬ１のアッベ数が４５を超えており、第２レンズＬ２のアッベ数が４５を超えている。さらに、第１レンズＬ１の焦点距離をｆ１とし、第２レンズＬ２の焦点距離をｆ２とすると、撮像レンズ１００は、数式（１）    −３．６＜ｆ２／ｆ１＜−２．５                                  ・・・（１）を満足するように構成されている。【選択図】図１
2011145491.tif 000002
【特許請求の範囲】
【請求項１】
物体側から像面側へと向かって順に、開口絞り、第１レンズ、および第２レンズを備えており、
上記第１レンズは、正の屈折力を有しており、上記物体側に凸面を向けたメニスカスレンズであり、
上記第２レンズは、負の屈折力を有しており、上記物体側に凹面を向けたレンズであり、
上記第２レンズは、上記像面側に向けた面のうち、中央部分が凹形状である撮像レンズであって、
上記第１レンズのアッベ数は４５を超えており、上記第２レンズのアッベ数は４５を超えており、
上記第１レンズの焦点距離をｆ１とし、上記第２レンズの焦点距離をｆ２とすると、
数式（１）
−３．６＜ｆ２／ｆ１＜−２．５                                  ・・・（１）
を満足するように構成されていることを特徴とする撮像レンズ。
【請求項２】
Ｆナンバーは、３未満であることを特徴とする請求項１に記載の撮像レンズ。
【請求項３】
同一面上に上記第１レンズを複数個備える第１レンズアレイと、同一面上に上記第２レンズを複数個備える第２レンズアレイと、を用意し、
第１レンズの光軸と対応する第２レンズの光軸との組み合わせの少なくとも２組の各々に関して、該両光軸が互いに同一直線上に位置するように、上記第１レンズアレイと上記第２レンズアレイとを貼り合せた後、
第１レンズの光軸と対応する第２レンズの光軸との上記組み合わせの１組を単位として分割した結果、得られたものであることを特徴とする請求項１または２に記載の撮像レンズ。
【請求項４】
上記第１レンズおよび上記第２レンズのうち、少なくとも一方は、熱または紫外線が与えられると硬化する樹脂からなることを特徴とする請求項１〜３のいずれか１項に記載の撮像レンズ。
【請求項５】
請求項１〜４のいずれか１項に記載の撮像レンズと、
上記撮像レンズによって結像された像を、光として受光する固体撮像素子と、を備えることを特徴とする撮像モジュール。
【請求項６】
上記固体撮像素子の画素のサイズは、２．５μｍ以下であることを特徴とする請求項５に記載の撮像モジュール。
【請求項７】
上記固体撮像素子の画素数は、１３０万画素以上であることを特徴とする請求項５または６に記載の撮像モジュール。
【請求項８】
上記撮像レンズの像面を保護するための像面保護ガラスを備え、
上記像面保護ガラスと上記固体撮像素子との間隔は、０．１９５ｍｍ以上であることを特徴とする請求項５〜７のいずれか１項に記載の撮像モジュール。
【請求項９】
上記撮像レンズのフォーカス位置を調整するための機構を備えていないことを特徴とする請求項５〜８のいずれか１項に記載の撮像モジュール。
【請求項１０】
上記第１レンズおよび上記第２レンズを収容する鏡筒が備えられていないことを特徴とする請求項５〜９のいずれか１項に記載の撮像モジュール。
【請求項１１】
上記第１レンズおよび上記第２レンズが組み込まれるレンズホルダが備えられていないことを特徴とする請求項５〜１０のいずれか１項に記載の撮像モジュール。
【請求項１２】
請求項５〜１１のいずれか１項に記載の撮像モジュールを備えることを特徴とする携帯情報機器。
【発明の詳細な説明】
【技術分野】
【０００１】
本発明は、携帯端末のデジタルカメラ等への搭載を目的とした、撮像レンズ、撮像モジュール、および、携帯情報機器に関する発明である。特に、本発明は、固体撮像素子を用いた撮像モジュール、この撮像モジュールへの適用に都合のよい撮像レンズ、および、この撮像モジュールを備えた携帯情報機器に関する発明である。
【背景技術】
【０００２】
撮像モジュールとしては、ＣＣＤ（Charge Coupled Device：電荷結合素子）およびＣＭＯＳ（Complementary Metal Oxide Semiconductor：相補型金属酸化膜半導体）をはじめとした固体撮像素子を内蔵した、コンパクトなデジタルカメラおよびデジタルビデオユニット等が種々開発されている。特に、情報携帯端末および携帯電話機等の各種携帯端末（携帯情報機器）が普及している近年、これらに搭載される撮像モジュールに対しては、高解像力であることはもちろんのこと、小型および低背であることが要求されている。
【０００３】
小型および低背であることに対する上記の要求を満足することが可能な技術としては、上記撮像モジュールに備えられる撮像レンズの小型化および低背化を図る技術が注目されている。こうした技術の一例として、特許文献１〜３には、以下の構成を有する撮像レンズが開示されている。
【０００４】
特許文献１〜３に開示されている撮像レンズはいずれも、物体（被写体）側から像面（結像面）側へと向かって順に、開口絞り、第１レンズ、および第２レンズを備えている。第１レンズは、正の屈折力を有しており、かつ、物体側に凸面を向けたメニスカスレンズである。第２レンズは、物体側および像面側の両面が、凹面となっているレンズである。
【０００５】
特許文献１に開示されている撮像レンズ（撮影レンズ）は、レンズ枚数を増やすことなく、コンパクトかつ収差を良好に補正するために、さらに、以下の数式（Ｘ）および（Ｙ）を満足するように構成されている。
【０００６】
０．６＜ｆ１／ｆ＜１．０                                        ・・・（Ｘ）
１．８＜（ｎ１−１）ｆ／ｒ１＜２．５                            ・・・（Ｙ）
但し、ｆはレンズ系の焦点距離、ｆ１は第１レンズの焦点距離、ｎ１は第１レンズの屈折率、ｒ１は第１レンズの物体側面の曲率半径である。
【０００７】
しかしながら、特許文献１に開示されている撮像レンズは、小型化が不十分であり、かつ、撮影された像の周辺部分において良好な解像性能を実現することが不十分であった。
【０００８】
特許文献２に開示されている撮像レンズは、小型で、良好な光学特性を有する２枚のレンズで構成される撮像レンズを実現するために、さらに、負の屈折力を有している第２レンズを用いて、以下の数式（Ａ）〜（Ｄ）を満足するように構成されている。
【０００９】
０．８＜ν１／ν２＜１．２                                      ・・・（Ａ）
５０＜ν１                                                      ・・・（Ｂ）
１．９＜ｄ１／ｄ２＜２．８                                      ・・・（Ｃ）
−２．５＜ｆ２／ｆ１＜−１．５                                  ・・・（Ｄ）
但し、ν１は第１レンズのアッベ数、ν２は第２レンズのアッベ数、ｄ１は第１レンズの中心厚み、ｄ２は第１レンズ像側面から第２レンズ物体側面までの距離、ｆ１は第１レンズの焦点距離、ｆ２は第２レンズの焦点距離である。
【００１０】
また、特許文献３に開示されている撮像レンズは、小型で、良好な光学特性を有する２枚のレンズで構成される撮像レンズを提供するために、さらに、負の屈折力を有している第２レンズを用いて、以下の数式（Ｅ）および（Ｆ）を満足するように構成されている。
【００１１】
−２．５＜ｆ２／ｆ１＜−０．８                                  ・・・（Ｅ）
０．８＜νｄ１／νｄ２＜１．２                                  ・・・（Ｆ）
但し、ｆ１は第１レンズの焦点距離、ｆ２は第２レンズの焦点距離、νｄ１は第１レンズのｄ線（波長：５８７．６ｎｍ）に対するアッベ数、νｄ２は第２レンズのｄ線に対するアッベ数である。
【先行技術文献】
【特許文献】
【００１２】
【特許文献１】特開２００６‐１７８０２６号公報（２００６年  ７月  ６日公開）
【特許文献２】特開２００８‐３０９９９９号公報（２００８年１２月２５日公開）
【特許文献３】特開２００９‐２５１５１６号公報（２００９年１０月２９日公開）
【特許文献４】特開２００９‐０１８５７８号公報（２００９年  １月２９日公開）
【特許文献５】特開２００９‐０２３３５３号公報（２００９年  ２月  ５日公開）
【発明の概要】
【発明が解決しようとする課題】
【００１３】
しかしながら、特許文献２に開示されている撮像レンズは、数式（Ｄ）を満足させることにより、レンズ系全体の焦点距離が長くなってしまうことによって、画角が狭くなってしまうため、依然として、撮影された像の周辺部分において良好な解像性能を実現することが不十分であるという問題が発生する。なお、画角とは、撮像レンズにより結像可能な角度である。
【００１４】
同様に、特許文献３に開示されている撮像レンズは、数式（Ｅ）を満足させることにより、レンズ系全体の焦点距離が長くなってしまうことによって、画角が狭くなってしまうため、依然として、撮影された像の周辺部分において良好な解像性能を実現することが不十分であるという問題が発生する。
【００１５】
本発明は、上記の問題に鑑みて為された発明であり、その目的は、撮影された像の周辺部分において良好な解像性能を実現することで、光学特性が悪化する虞を低減することを可能とする、撮像レンズ、撮像モジュール、および、携帯情報機器を提供することにある。
【課題を解決するための手段】
【００１６】
本発明の撮像レンズは、上記の問題を解決するために、物体側から像面側へと向かって順に、開口絞り、第１レンズ、および第２レンズを備えており、上記第１レンズは、正の屈折力を有しており、上記物体側に凸面を向けたメニスカスレンズであり、上記第２レンズは、負の屈折力を有しており、上記物体側に凹面を向けたレンズであり、上記第２レンズは、上記像面側に向けた面のうち、中央部分が凹形状である撮像レンズであって、上記第１レンズのアッベ数は４５を超えており、上記第２レンズのアッベ数は４５を超えており、上記第１レンズの焦点距離をｆ１とし、上記第２レンズの焦点距離をｆ２とすると、数式（１）を満足するように構成されていることを特徴としている。
【００１７】
−３．６＜ｆ２／ｆ１＜−２．５                                  ・・・（１）
上記の構成によれば、本発明の撮像レンズは、第１レンズおよび第２レンズを通過する光の、光軸上および光軸外において発生する、諸収差を良好に補正することが可能となるため、小型で良好な光学特性を得ることができるものである。
【００１８】
すなわち、第１レンズおよび第２レンズが４５を超えるアッベ数を有している、本発明の撮像レンズは、色収差（一つの色から他の色までの像の位置や大きさのズレを示すレンズの収差）が抑制されるため、良好な解像性能を実現することが可能となる。
【００１９】
また、数式（１）を満足している、本発明の撮像レンズは、画角の広さと、撮影された像の周辺部分において良好な解像性能を実現することと、を両立させることが可能となる。
【００２０】
ｆ２／ｆ１が−３．６以下である、撮像レンズは、焦点距離が短くなることで画角が広くなるが、画角が広くなり過ぎることに起因して、各種収差が増大し、良好な解像性能の確保が困難となるため、好ましくない。
【００２１】
ｆ２／ｆ１が−２．５以上である、撮像レンズは、焦点距離が長くなることで画角が狭くなり、撮影された像の周辺部分において良好な解像性能を実現することが不十分となるため、好ましくない。
【００２２】
第１レンズおよび／または第２レンズのアッベ数が４５以下である、撮像レンズは、色収差が増大し、良好な解像性能を実現することが困難となるため、好ましくない。
【００２３】
また、本発明の撮像レンズは、Ｆナンバーは、３未満であることを特徴としている。
【００２４】
上記の構成によれば、Ｆナンバーが３未満である、本発明の撮像レンズは、受光光量を増大させることができ、かつ、色収差が良好に補正されるため、高い解像力を得ることができる。
【００２５】
また、本発明の撮像レンズは、同一面上に上記第１レンズを複数個備える第１レンズアレイと、同一面上に上記第２レンズを複数個備える第２レンズアレイと、を用意し、第１レンズの光軸と対応する第２レンズの光軸との組み合わせの少なくとも２組の各々に関して、該両光軸が互いに同一直線上に位置するように、上記第１レンズアレイと上記第２レンズアレイとを貼り合せた後、第１レンズの光軸と対応する第２レンズの光軸との上記組み合わせの１組を単位として分割した結果、得られたものであることを特徴としている。
【００２６】
撮像レンズの製造方法としては、製造コストの低減を図るべく、ウエハレベルレンズプロセスと呼ばれる製造プロセスが提案されている（特許文献４および５参照）。ウエハレベルレンズプロセスとは、樹脂等の被成形物に対して、複数のレンズを成形または造形することで、第１および第２レンズアレイという２つのレンズアレイ（ウエハレンズとも言う）を作製し、これらを貼り合せた後、１つの撮像レンズ毎に分割することにより、撮像レンズを製造する製造プロセスである。この製造プロセスによれば、大量の撮像レンズを一括して、かつ短時間で製造することが可能となるため、撮像レンズの製造コストは、低減することが可能となる。
【００２７】
上記の構成によれば、本発明の撮像レンズは、上記のウエハレベルレンズプロセスによって製造されたものであるため、その製造コストが低減されており、安価にて提供することが可能となる。
【００２８】
また、本発明の撮像レンズは、上記第１レンズおよび上記第２レンズのうち、少なくとも一方は、熱または紫外線が与えられると硬化する樹脂からなることを特徴としている。
【００２９】
第１レンズを、熱硬化性樹脂またはＵＶ（Ultra Violet：紫外線）硬化性樹脂からなる構成とすることにより、本発明の撮像レンズの製造段階において、複数の第１レンズを樹脂に成形して、第１レンズアレイを作製することができる。同様に、第２レンズを、熱硬化性樹脂またはＵＶ硬化性樹脂からなる構成とすることにより、本発明の撮像レンズの製造段階において、複数の第２レンズを樹脂に成形して、第２レンズアレイを作製することができる。
【００３０】
従って、上記の構成によれば、本発明の撮像レンズは、ウエハレベルレンズプロセスにより製造可能なものであるため、製造コストの低減および大量生産が可能となり、安価にて提供することが可能となる。
【００３１】
加えて、第１レンズおよび第２レンズの両方を、熱硬化性樹脂またはＵＶ硬化性樹脂からなる構成とすることにより、本発明の撮像レンズは、リフローを施すことが可能になる。
【００３２】
上記の構成によれば、リフロー実装が可能となることから、実装コストの低い、ひいては安価な撮像レンズを実現することができる。本発明の撮像レンズは、製造公差の点において有利であるため、リフロー実装時に発生する熱による、撮像レンズの組み立て状態の変化に対しても許容量が大きくなるため、負荷のかかるプロセスに対して適用することが可能となる。
【００３３】
また、本発明の撮像モジュールは、上記いずれかの撮像レンズと、上記撮像レンズによって結像された像を、光として受光する固体撮像素子と、を備えることを特徴としている。
【００３４】
上記の構成によれば、本発明の撮像モジュールは、備えられた、本発明の撮像レンズと同様の効果を奏する。
【００３５】
上記の構成によれば、本発明の撮像モジュールは、安価であり、コンパクトであり、さらに、高性能である、撮像モジュールを実現することが可能となる。
【００３６】
また、本発明の撮像モジュールは、上記固体撮像素子の画素のサイズは、２．５μｍ以下であることを特徴としている。
【００３７】
上記の構成によれば、画素のサイズが２．５μｍ以下である固体撮像素子を用いることにより、本発明の撮像モジュールは、高画素の固体撮像素子の性能を十分に活かした、撮像モジュールを実現することが可能となる。
【００３８】
また、本発明の撮像モジュールは、上記固体撮像素子の画素数は、１３０万画素以上であることを特徴としている。
【００３９】
上記の構成によれば、撮像レンズの解像性能に適した固体撮像素子を選択して使用することにより、本発明の撮像モジュールは、良好な解像性能を有している撮像モジュールを実現することが可能となる。特に、本発明に係る固体撮像素子としては、いわゆる２Ｍ（メガ）クラスのものが適している。
【００４０】
また、本発明の撮像モジュールは、上記撮像レンズの像面を保護するための像面保護ガラスを備え、上記像面保護ガラスと上記固体撮像素子との間隔は、０．１９５ｍｍ以上であることを特徴としている。
【００４１】
上記の構成によれば、本発明の撮像モジュールは、固体撮像素子を用いた撮像モジュールにおいて広く利用されている、ワイヤーボンディング構造およびガラスオンウエハ構造の、両方の構造において、適用することが可能となる。像面保護ガラスと固体撮像素子との間隔が０．１９５ｍｍ未満である、撮像モジュールは、像面保護ガラスが、固体撮像素子と基板との電気的接続を行うワイヤーと干渉するため、ワイヤーボンディング構造への適用が困難となる。
【００４２】
また、本発明の撮像モジュールは、上記撮像レンズのフォーカス位置を調整するための機構を備えていないことを特徴としている。
【００４３】
上記の構成によれば、本発明の撮像レンズは、公差感度に優れる、すなわち、製造ばらつき等に起因する各種ばらつきに対する許容範囲が広い、という特長を有しているものである。このことから、本発明の撮像モジュールは、光軸方向における、最良像面位置に対する固体撮像素子の位置を調整する必要がないので、該調整のために従来必要であった、撮像レンズのフォーカス位置を調整するための機構を省略することが可能となる。そして、該機構を省略することにより、本発明の撮像モジュールは、製造コストを低減することが可能となる。
【００４４】
また、本発明の撮像モジュールは、上記第１レンズおよび上記第２レンズを収容する鏡筒が備えられていないことを特徴としている。
【００４５】
また、本発明の撮像モジュールは、上記第１レンズおよび上記第２レンズが組み込まれるレンズホルダが備えられていないことを特徴としている。
【００４６】
上記の構成によれば、本発明の撮像モジュールは、鏡筒および／またはレンズホルダが省略されているため、製造工程の削減および構成部品の削減が可能となり、低コスト化を実現することが可能となる。
【００４７】
また、本発明の携帯情報機器は、上記いずれかの撮像モジュールを備えることを特徴としている。
【００４８】
上記の構成によれば、本発明の携帯情報機器は、備えられた、本発明の撮像モジュール、ひいては、本発明の撮像レンズと同様の効果を奏する。
【発明の効果】
【００４９】
以上のとおり、本発明の撮像レンズは、物体側から像面側へと向かって順に、開口絞り、第１レンズ、および第２レンズを備えており、上記第１レンズは、正の屈折力を有しており、上記物体側に凸面を向けたメニスカスレンズであり、上記第２レンズは、負の屈折力を有しており、上記物体側に凹面を向けたレンズであり、上記第２レンズは、上記像面側に向けた面のうち、中央部分が凹形状である撮像レンズであって、上記第１レンズのアッベ数は４５を超えており、上記第２レンズのアッベ数は４５を超えており、上記第１レンズの焦点距離をｆ１とし、上記第２レンズの焦点距離をｆ２とすると、数式（１）を満足するように構成されている。
【００５０】
従って、撮影された像の周辺部分において良好な解像性能を実現することで、光学特性が悪化する虞を低減することが可能であるという効果を奏する。
【図面の簡単な説明】
【００５１】
【図１】本発明の一実施の形態に係る撮像レンズの構成を示す断面図である。
【図２】図２（ａ）〜（ｃ）は、図１に示す撮像レンズの各種収差の特性を示すグラフであり、（ａ）に球面収差を、（ｂ）に非点収差を、（ｃ）に歪曲を、それぞれ示している。
【図３】図３（ａ）は、図１に示す撮像レンズの、空間周波数特性に対するＭＴＦを示すグラフであり、図３（ｂ）は、同撮像レンズの、デフォーカスＭＴＦを示すグラフである。
【図４】図１に示す撮像レンズの変形例の構成を示す断面図である。
【図５】図５（ａ）〜（ｃ）は、図４に示す撮像レンズの各種収差の特性を示すグラフであり、（ａ）に球面収差を、（ｂ）に非点収差を、（ｃ）に歪曲を、それぞれ示している。
【図６】図６（ａ）は、図４に示す撮像レンズの、空間周波数特性に対するＭＴＦを示すグラフであり、図６（ｂ）は、同撮像レンズの、デフォーカスＭＴＦを示すグラフである。
【図７】図１に示す撮像レンズの、別の変形例の構成を示す断面図である。
【図８】図８（ａ）〜（ｃ）は、図７に示す撮像レンズの各種収差の特性を示すグラフであり、（ａ）に球面収差を、（ｂ）に非点収差を、（ｃ）に歪曲を、それぞれ示している。
【図９】図９（ａ）は、図７に示す撮像レンズの、空間周波数特性に対するＭＴＦを示すグラフであり、図９（ｂ）は、同撮像レンズの、デフォーカスＭＴＦを示すグラフである。
【図１０】図１に示す撮像レンズの、さらに別の変形例の構成を示す断面図である。
【図１１】図１１（ａ）〜（ｃ）は、図１０に示す撮像レンズの各種収差の特性を示すグラフであり、（ａ）に球面収差を、（ｂ）に非点収差を、（ｃ）に歪曲を、それぞれ示している。
【図１２】図１２（ａ）は、図１０に示す撮像レンズの、空間周波数特性に対するＭＴＦを示すグラフであり、図１２（ｂ）は、同撮像レンズの、デフォーカスＭＴＦを示すグラフである。
【図１３】図１３（ａ）〜（ｄ）は、本発明の撮像レンズおよび撮像モジュールの製造方法の一例を示す断面図である。
【図１４】図１４（ａ）〜（ｄ）は、本発明の撮像レンズおよび撮像モジュールの製造方法の別の例を示す断面図である。
【図１５】図１に示す撮像レンズを用いたフォーカス調整レス構造である撮像モジュールの、ワイヤーボンディングタイプの構成を示す断面図である。
【図１６】図１に示す撮像レンズを用いたフォーカス調整レス構造である撮像モジュールのガラスオンウエハタイプの構成を示す断面図である。
【図１７】図１に示す撮像レンズを用いたフォーカス調整レス構造である撮像モジュールのガラスオンウエハタイプの別の構成を示す断面図である。
【発明を実施するための形態】
【００５２】
〔本発明の撮像レンズの具体例〕
図１は、空間において、互いに直交する３方向である、Ｘ（紙面と垂直な）方向、Ｙ（紙面と平行な上下）方向、および、Ｚ（紙面と平行な左右）方向のうち、Ｙ方向およびＺ方向からなる、撮像レンズ１００の断面を示した図である。
【００５３】
Ｚ方向は、物体１側から像面Ｓ９側へと向かう方向（または、像面Ｓ９側から物体１側へと向かう方向）を示している。撮像レンズ１００の光軸Ｌａは、このＺ方向に対して略平行であり、第１レンズＬ１における物体１側に向けた面（第１レンズ物体側面）Ｓ１の中心ｓ１、第１レンズＬ１における像面Ｓ９側に向けた面（第１レンズ像側面）Ｓ２の中心ｓ２、第２レンズＬ２における物体１側に向けた面（第２レンズ物体側面）Ｓ３の中心ｓ３、および、第２レンズＬ２における像面Ｓ９側に向けた面（第２レンズ像側面）Ｓ４の中心ｓ４上を伸びている。撮像レンズ１００の光軸Ｌａの法線方向は、ある光軸Ｌａ上から、Ｘ方向およびＹ方向からなる面上を一直線に伸びていく方向である。
【００５４】
撮像レンズ１００は、物体１側から像面Ｓ９側へと向かって順に、開口絞り２、第１レンズＬ１、第２レンズＬ２、および、カバーガラス（像面保護ガラス）ＣＧを備えて構成されたものである。
【００５５】
物体１は、撮像レンズ１００が結像する対象物であり、換言すれば、撮像レンズ１００によって撮像される被写体である。図１、さらには後述する図４、図７、および図１０では便宜上、物体１と撮像レンズとが非常に近接しているように図示されているが、実際、物体１と撮像レンズとの間隔は、例えば１２００ｍｍ前後である。
【００５６】
開口絞り２は、具体的に、第１レンズＬ１における物体１側に向けた面Ｓ１を取り囲むように設けられている。開口絞り２は、撮像レンズ１００に入射した光が、第１レンズＬ１および第２レンズＬ２を適切に通過するように、入射した光の軸上光線束の直径を制限することを目的に設けられている。
【００５７】
第１レンズＬ１は、正の屈折力を有しているレンズであり、物体１側に向けた面Ｓ１が凸面となっている、周知のメニスカスレンズである。これにより、撮像レンズ１００の全長に対する、第１レンズＬ１の全長の割合を大きくすることが可能となり、撮像レンズ１００の全長に比して、撮像レンズ１００全体の焦点距離を長くすることが可能となるため、撮像レンズ１００は、小型化および低背化が可能となる。なお、第１レンズＬ１は、像面Ｓ９側に向けた面Ｓ２が凹面となっている。
【００５８】
第２レンズＬ２は、負の屈折力を有しているレンズであり、物体１側に向けた面Ｓ３が凹面となっている。これにより、第２レンズＬ２の屈折力を維持しつつ、ペッツヴァル和（光学系による平面物体の像の湾曲の軸上特性）を小さくすることが可能となるため、非点収差、像面湾曲、および、コマ収差を低減することが可能となる。
【００５９】
また、第２レンズＬ２は、像面Ｓ９側に向けた面Ｓ４のうち、中心ｓ４およびその近傍に対応する中央部分ｃ４が凹形状であると共に、中央部分ｃ４を取り囲む周辺部分ｐ４が凸形状である。つまり、第２レンズＬ２の面Ｓ４は、窪んでいる中央部分ｃ４と、出張っている周辺部分ｐ４と、が切り替わる変曲点を有する構成であると解釈することができる。これにより、中央部分ｃ４を通過する光線は、Ｚ方向における、より物体１側にて結像可能となると共に、周辺部分ｐ４を通過する光線は、Ｚ方向における、より像面Ｓ９側にて結像可能となる。このため、撮像レンズ１００は、中央部分ｃ４における凹形状と、周辺部分ｐ４における凸形状と、の具体的な形状に応じて、像面湾曲をはじめとする各種収差を補正することが可能となる。但し、周辺部分ｐ４は、凸形状であることが必須でなく、略平坦であってもよい。
【００６０】
なお、レンズの凸面とは、レンズの球状表面が外側に曲がっている部分を示している。レンズの凹面とは、レンズが中空に曲がっている部分、すなわち、レンズが内側に曲がっている部分を示している。
【００６１】
また、厳密に言えば、開口絞り２は、第１レンズＬ１の面Ｓ１としての凸面が、開口絞り２よりも物体１側に突出するように設けられているが、このように凸面が突出しているか否かについては特に限定されない。開口絞り２は、第１レンズＬ１よりも物体１側に設けられている配置関係でさえあれば十分である。
【００６２】
カバーガラスＣＧは、第２レンズＬ２と像面Ｓ９との間に挟まれて設けられている。カバーガラスＣＧは、像面Ｓ９に対して被覆されることで、物理的ダメージ等から像面Ｓ９を保護するためのものである。カバーガラスＣＧは、物体１側に向けた面（物体側面）Ｓ７と、像面Ｓ９側に向けた面（像側面）Ｓ８と、を有している。
【００６３】
像面Ｓ９は、撮像レンズ１００の光軸Ｌａに対して垂直で、像が形成される面であり、実像は、像面Ｓ９に置かれた図示しないスクリーン上で観察することができる。また、撮像レンズ１００を備えた撮像モジュール（詳細は後述）においては、通常、像面Ｓ９に撮像素子が配置されることとなる。
【００６４】
以上が、本発明の撮像レンズの基本構成である。
【００６５】
第１レンズＬ１および第２レンズＬ２のアッベ数、具体的には、第１レンズＬ１および第２レンズＬ２のｄ線（波長：５８７．６ｎｍ）に対する、第１レンズＬ１および第２レンズＬ２を構成する各材料のアッベ数νｄはいずれも、４５を超えている。
【００６６】
アッベ数とは、光の分散に対する屈折度の比を示した、光学媒質の定数である。すなわち、アッベ数とは、異なった波長の光を異なった方向へ屈折させる度合であり、高いアッベ数の媒質は、異なった波長に対しての光線の屈折の度合による分散が少なくなる。
【００６７】
これにより、撮像レンズ１００は、色収差（一つの色から他の色までの像の位置や大きさのズレを示すレンズの収差）が抑制されるため、良好な解像性能を実現することが可能となる。
【００６８】
一方、第１レンズＬ１および／または第２レンズＬ２のｄ線に対する、第１レンズＬ１および／または第２レンズＬ２を構成する材料のアッベ数が４５以下である場合、撮像レンズは、色収差が増大し、良好な解像性能を実現することが困難となるため、好ましくない。
【００６９】
また、第１レンズＬ１の焦点距離をｆ１とし、第２レンズＬ２の焦点距離をｆ２とすると、撮像レンズ１００は、以下の数式（１）を満足するように構成されている。
【００７０】
−３．６＜ｆ２／ｆ１＜−２．５                                  ・・・（１）
数式（１）を満足している、撮像レンズ１００は、画角の広さと、撮影された像の周辺部分において良好な解像性能を実現することと、を両立させることが可能となる。
【００７１】
一方、ｆ２／ｆ１が−３．６以下である場合、撮像レンズは、焦点距離が短くなることで画角が広くなるが、画角が広くなり過ぎることに起因して、各種収差が増大し、良好な解像性能の確保が困難となるため、好ましくない。
【００７２】
また、ｆ２／ｆ１が−２．５以上である場合、撮像レンズは、焦点距離が長くなることで画角が狭くなり、撮影された像の周辺部分において良好な解像性能を実現することが不十分となるため、好ましくない。
【００７３】
撮像レンズ１００のＦナンバーは、３未満であるのが好ましい。Ｆナンバーとは、光学系の明るさを示す量の一種である。撮像レンズのＦナンバーは、撮像レンズの等価焦点距離を、撮像レンズの入射瞳径で割った値で表される。撮像レンズ１００は、このＦナンバーを３未満とすることにより、受光光量を増大させることができるため結像した像を明るくすることができ、かつ、色収差が良好に補正されるため、高い解像力を得ることができる。
【００７４】
なお、第１レンズＬ１のアッベ数と、第２レンズＬ２のアッベ数と、を等しくすることにより、第１レンズＬ１および第２レンズＬ２は、互いに同じ材料により構成することができるため、撮像レンズ１００としては、製造コストを低減し、安価な撮像レンズを実現することが可能となる。
【００７５】
また、詳細は後述するが、撮像レンズ１００は、第１レンズＬ１を複数個備える第１レンズアレイと、第２レンズＬ２を複数個備える第２レンズアレイと、を貼り合せた後、分割して得られたものであるのが好ましい。
【００７６】
撮像レンズの製造方法としては、製造コストの低減を図るべく、ウエハレベルレンズプロセスと呼ばれる製造プロセスが提案されている。ウエハレベルレンズプロセスとは、樹脂等の被成形物に対して、複数のレンズを成形または造形することで、第１および第２レンズアレイという２つのレンズアレイを作製し、これらを貼り合せた後、１つの撮像レンズ毎に分割することにより、撮像レンズを製造する製造プロセスである。この製造プロセスによれば、大量の撮像レンズを一括して、かつ短時間で製造することが可能となるため、撮像レンズの製造コストは、低減することが可能となる。
【００７７】
上記の構成によれば、撮像レンズ１００は、上記のウエハレベルレンズプロセスによって製造されたものであるため、その製造コストが低減されており、安価にて提供することが可能となる。
【００７８】
第１レンズＬ１および第２レンズＬ２は、少なくとも一方が、熱硬化性樹脂またはＵＶ硬化性樹脂からなるのが好ましい。熱硬化性樹脂は、所定量以上の熱が与えられることにより、液体から固体へと状態変化する特性を有する樹脂である。ＵＶ硬化性樹脂は、所定強度以上の紫外線が照射されることにより、液体から固体へと状態変化する特性を有する樹脂である。
【００７９】
第１レンズＬ１を、熱硬化性樹脂またはＵＶ硬化性樹脂からなる構成とすることにより、撮像レンズ１００の製造段階において、複数の第１レンズＬ１を樹脂に成形して、後述する第１レンズアレイを作製することができる。同様に、第２レンズＬ２を、熱硬化性樹脂またはＵＶ硬化性樹脂からなる構成とすることにより、撮像レンズ１００の製造段階において、複数の第２レンズＬ２を樹脂に成形して、後述する第２レンズアレイを作製することができる。
【００８０】
従って、上記の構成によれば、撮像レンズ１００は、ウエハレベルレンズプロセスにより製造可能なものであるため、製造コストの低減および大量生産が可能となり、安価にて提供することが可能となる。
【００８１】
加えて、第１レンズＬ１および第２レンズＬ２の両方を、熱硬化性樹脂またはＵＶ硬化性樹脂からなる構成とすることにより、撮像レンズ１００は、リフローを施すことが可能になる。
【００８２】
但し、他にも第１レンズＬ１および第２レンズＬ２は、プラスチックレンズまたはガラスレンズ等であってもよい。
【００８３】
〔表１〕は、撮像レンズ１００の設計式、すなわち、撮像レンズ１００の形状を特定するデータ、および、撮像レンズ１００を構成する構成要素の材料の特性を示した表である。
【００８４】
【表１】
2011145491.tif 000003
【００８５】
〔表１〕に示した「要素」の欄において、Ｌ１は第１レンズＬ１を、Ｌ２は第２レンズＬ２を、ＣＧはカバーガラスＣＧを、センサ（像面）は像面Ｓ９に対応する位置を、それぞれ意味している。
【００８６】
〔表１〕に示した「材料」の欄において、Ｎｄは、ｄ線（波長５８７．６ｎｍ）に対する、第１レンズＬ１、第２レンズＬ２、および、カバーガラスＣＧを構成する各材料の屈折率を意味しており、νｄは、ｄ線に対する同各材料のアッベ数（すなわち、本発明に係るアッベ数）を意味している。
【００８７】
〔表１〕に示すとおり、第１レンズＬ１および第２レンズＬ２はいずれも、アッベ数が４６であり、４５を超えている。
【００８８】
曲率とは、平面から離れていく尺度であり、曲率半径の逆数である。中心厚とは、対応する面中心から像面側に向かって次の面の中心までの、光軸Ｌａ（図１参照）に沿う距離である。有効半径とは、レンズにおける、光束の範囲を規制可能な円領域の半径である。
【００８９】
非球面係数のそれぞれは、非球面を構成する非球面式（２）における、ｉ次の非球面係数Ａｉ（ｉは４以上の偶数）を意味している。非球面式（２）において、Ｚは光軸方向（図１のＺ方向）の座標であり、ｘは光軸に対する法線方向（図１のＸ方向）の座標であり、Ｒは曲率半径（曲率の逆数）であり、Ｋはコーニック（円錐）係数である。
【００９０】
【数１】
2011145491.tif 000004
【００９１】
〔表２〕は、撮像レンズ１００における、第１レンズＬ１の焦点距離ｆ１、第２レンズＬ２の焦点距離ｆ２、および、数式（１）に係る値「ｆ２／ｆ１」の計算結果を示した表である。
【００９２】
【表２】
2011145491.tif 000005
【００９３】
〔表２〕に示すとおり、撮像レンズ１００は、第１レンズＬ１の焦点距離ｆ１が約２．４４３ｍｍとなっており、第２レンズＬ２の焦点距離ｆ２が約−７．０２８ｍｍとなっている。ここで、レンズの焦点距離が正の値となることは、同レンズが正の屈折力を有していることを意味しており、レンズの焦点距離が負の値となることは、同レンズが負の屈折力を有していることを意味している。
【００９４】
従って、撮像レンズ１００において、「ｆ２／ｆ１」の計算結果は、−７．０２８ｍｍ／２．４４３ｍｍ＝約−２．９となる。この結果は、数式（１）に示した関係を満足する値となっている。
【００９５】
〔表３〕は、撮像レンズ１００に対して、像面Ｓ９にセンサ（固体撮像素子）を配置して、撮像モジュールを構成する場合の、仕様の一例を示した表である。
【００９６】
【表３】
2011145491.tif 000006
【００９７】
上記撮像モジュールにおいて、センサは、備えられた撮像レンズによって結像された像を、光として受光することを目的に設けられている。
【００９８】
〔表３〕に示した仕様において、センサとしては、そのサイズが１／５型であり、２Ｍ（メガ）クラスであるものが適用されている。この場合、該センサの画素数は、１３０万画素以上となる。このように、撮像レンズの解像性能に適した、１３０万画素以上のセンサを選択して使用することにより、良好な解像性能を有している撮像モジュールを実現することが可能となる。
【００９９】
〔表３〕に示した仕様において、項目「画素ピッチ」に示した、センサの画素ピッチは、１．７５μｍであり、２．５μｍ以下である。このように、画素ピッチが２．５μｍ以下であるセンサを用いることにより、高画素のセンサの性能を十分に活かした、撮像モジュールを実現することが可能となる。画素ピッチは、画素のサイズに相当する。
【０１００】
〔表３〕の項目「サイズ」には、センサのサイズを、Ｄ（対角）、Ｈ（水平）、およびＶ（垂直）という、３次元のパラメータで示している。
【０１０１】
〔表３〕に示した仕様において、項目「Ｆナンバー」に示した、Ｆナンバーは、２．８０であり、３未満であるため、好ましい。
【０１０２】
〔表３〕の項目「焦点距離」には、撮像レンズ１００全体の焦点距離を示している。
【０１０３】
〔表３〕の項目「画角」には、撮像レンズ１００の画角、すなわち、撮像レンズ１００により結像可能な角度をそれぞれ示しており、Ｄ（対角）、Ｈ（水平）、およびＶ（垂直）という、３次元のパラメータで示している。〔表３〕によれば、撮像レンズ１００の画角は、Ｄ（対角）において６０．５°、Ｈ（水平）において５０．０°、Ｖ（垂直）において３８．４°となっており、良好な（広画角となる）値が得られている。
【０１０４】
〔表３〕の項目「周辺光量比」には、像高ｈ０．６、像高ｈ０．８、および、像高ｈ１．０のそれぞれにおける、撮像レンズ１００の各周辺光量比（像高ｈ０での光量に対する、光量の割合）を示している。
【０１０５】
像高とは、画像の中心を基準とした像の高さを意味する。そして、最大像高に対する像高の高さは、割合で表現され、画像の中心を基準として、該最大像高の８０％の高さに該当する像高の高さに対応する部分を示す場合、上記のとおり、像高ｈ０．８と表現される（その他、像高８割、ｈ０．８と表現される場合もある）。像高ｈ０、像高ｈ０．６、像高ｈ１．０も、像高ｈ０．８と同様の旨示す表現である。
【０１０６】
〔表３〕の項目「ＣＲＡ」には、像高ｈ０．６、像高ｈ０．８、像高ｈ１．０のそれぞれにおける、撮像レンズ１００の各主光線角度（Chief Ray Angle：ＣＲＡ）を示している。
【０１０７】
〔表３〕の項目「光学全長（ＣＧ含む）」には、撮像レンズ１００の、開口絞り２が光を絞る部分から像面Ｓ９までの距離を示している。つまり、本発明の撮像レンズの光学全長とは、光学特性に対して或る影響を与える全構成要素の、光軸方向における寸法の総計を意味している。
【０１０８】
〔表３〕の項目「ＣＧ厚み」には、光軸方向におけるカバーガラスＣＧの厚みを示している。
【０１０９】
また、〔表３〕に示す各特性を得るために、シミュレーション光源（図示しない）として、次の重みづけによる（白色を構成する各波長の混合割合が、下記のように調整された）白色光を用いた。
【０１１０】
４０４．６６ｎｍ＝０．１３
４３５．８４ｎｍ＝０．４９
４８６．１３２７ｎｍ＝１．５７
５４６．０７ｎｍ＝３．１２
５８７．５６１８ｎｍ＝３．１８
６５６．２７２５ｎｍ＝１．５１
そして、〔表３〕に示す各値は、物体距離が１２００ｍｍである場合の仕様である。後述する、〔表６〕、〔表９〕、および〔表１２〕に示す各特性を得るために用いた、シミュレーション光源（白色光）についても、上記と同様の値での重み付けが為されているものとする。また、後述する、〔表６〕、〔表９〕、および〔表１２〕についても同様に、物体距離が１２００ｍｍである場合の仕様を示しているものとする。
【０１１１】
図２（ａ）〜（ｃ）は、撮像レンズ１００の各種収差の特性を示すグラフであり、（ａ）に球面収差を、（ｂ）に非点収差を、（ｃ）に歪曲を、それぞれ示している。
【０１１２】
図２（ａ）〜（ｃ）に示すグラフによれば、残存収差量が小さい（光軸Ｌａに対する法線方向に対する、各収差の大きさのズレが小さい）ことから、撮像レンズ１００は、良好な光学特性を有していることがわかる。
【０１１３】
図３（ａ）には、撮像レンズ１００の、空間周波数特性に対するＭＴＦ（Modulation Transfer Function：変調伝達関数）を示している。
【０１１４】
図３（ａ）に示すグラフにおいて、縦軸はＭＴＦの値（単位：無）であり、横軸は空間周波数（単位：ｌｐ／ｍｍ）である。撮像レンズ１００では、空間周波数に対して、０．２程度、もしくはそれ以上の高いＭＴＦ特性を示している。
【０１１５】
図３（ｂ）には、撮像レンズ１００の、像面Ｓ９の位置（変位）に対するＭＴＦ変化、いわゆるデフォーカスＭＴＦを示している。
【０１１６】
図３（ｂ）に示すグラフにおいて、縦軸はＭＴＦの値であり、横軸はフォーカスシフト量（単位：ｍｍ）である。撮像レンズ１００では、ＭＴＦの最大値として示された最良像面位置が、互いに同程度のフォーカスシフト量を示す位置に揃った、良好なデフォーカス特性が得られる。
【０１１７】
〔変形例１〕
図１に示す撮像レンズ１００の変形例である図４に示す撮像レンズ１００ａは、図１に示す撮像レンズ１００のカバーガラスＣＧを薄く形成したものであり、その他の基本構成に関して、概略的には、図１に示す撮像レンズ１００と同様の構成を有しているものである。
【０１１８】
〔表１〕と同様に、〔表４〕は、撮像レンズ１００ａの設計式、すなわち、撮像レンズ１００ａの形状を特定するデータ、および、撮像レンズ１００ａを構成する構成要素の材料の特性を示した表である。
【０１１９】
【表４】
2011145491.tif 000007
【０１２０】
〔表４〕に示すとおり、第１レンズＬ１および第２レンズＬ２はいずれも、アッベ数が４６であり、４５を超えている。
【０１２１】
〔表２〕と同様に、〔表５〕は、撮像レンズ１００ａにおける、第１レンズＬ１の焦点距離ｆ１、第２レンズＬ２の焦点距離ｆ２、および、数式（１）に係る値「ｆ２／ｆ１」の計算結果を示した表である。
【０１２２】
【表５】
2011145491.tif 000008
【０１２３】
〔表５〕に示すとおり、撮像レンズ１００ａは、第１レンズＬ１の焦点距離ｆ１が約２．３４４ｍｍとなっており、第２レンズＬ２の焦点距離ｆ２が約−６．４１６ｍｍとなっている。
【０１２４】
従って、撮像レンズ１００ａにおいて、「ｆ２／ｆ１」の計算結果は、−６．４１６ｍｍ／２．３４４ｍｍ＝約−２．７となる。この結果は、数式（１）に示した関係を満足する値となっている。
【０１２５】
〔表３〕と同様に、〔表６〕は、撮像レンズ１００ａに対して、像面Ｓ９にセンサ（固体撮像素子）を配置して、撮像モジュールを構成する場合の、仕様の一例を示した表である。
【０１２６】
【表６】
2011145491.tif 000009
【０１２７】
〔表６〕において、〔表３〕との関係上、注目すべき点は、項目「ＣＧ厚み」が、０．５００ｍｍ（表３）と０．１４５ｍｍ（表６）とで、大幅に異なっている点である。つまり、光軸方向におけるカバーガラスＣＧの厚みは、撮像レンズ１００において０．５００ｍｍである一方、撮像レンズ１００ａにおいて０．１４５ｍｍであり、撮像レンズ１００ａのほうが撮像レンズ１００よりも薄くされている。
【０１２８】
カバーガラスＣＧが薄く形成された撮像レンズ１００ａにおいては、以下の利点が存在する。
【０１２９】
すなわち、カバーガラスＣＧを薄く形成することにより、像面Ｓ９は、光軸方向において、カバーガラスＣＧから離されて位置することとなる。これは、換言すれば、像面Ｓ９にセンサが配置された撮像モジュールにおいて、該センサは、光軸方向において、カバーガラスＣＧから離されて位置することを意味する。
【０１３０】
光軸方向において、カバーガラスＣＧとセンサとを、ある程度離して配置することにより、撮像モジュールは、ワイヤーボンディング構造およびガラスオンウエハ構造の、両方の構造において、適用することが可能となる。具体的に、カバーガラスＣＧとセンサとの間隔が０．１９５ｍｍ未満である場合、撮像モジュールは、カバーガラスＣＧが、センサと基板との電気的接続を行うワイヤーと干渉する虞があるため、ワイヤーボンディング構造への適用が困難となる。このことを考慮すると、カバーガラスＣＧとセンサとの間隔は、０．１９５ｍｍ以上であるのが好ましい。そして、０．１９５ｍｍ以上である、カバーガラスＣＧとセンサとの間隔を確保するため、撮像レンズ１００ａに示されるように、カバーガラスＣＧを薄く形成する構成は有益であると言える。
【０１３１】
〔表６〕に示した仕様において、センサとしては、そのサイズが１／５型であり、２Ｍ（メガ）クラスであるものが適用されている。この場合、該センサの画素数は、１３０万画素以上となる。このように、撮像レンズの解像性能に適した、１３０万画素以上のセンサを選択して使用することにより、良好な解像性能を有している撮像モジュールを実現することが可能となる。
【０１３２】
〔表６〕に示した仕様において、項目「画素ピッチ」に示した、センサの画素ピッチは、１．７５μｍであり、２．５μｍ以下である。このように、画素ピッチが２．５μｍ以下であるセンサを用いることにより、高画素のセンサの性能を十分に活かした、撮像モジュールを実現することが可能となる。画素ピッチは、画素のサイズに相当する。
【０１３３】
〔表６〕に示した仕様において、項目「Ｆナンバー」に示した、Ｆナンバーは、２．８０であり、３未満であるため、好ましい。
【０１３４】
〔表６〕の項目「画角」には、撮像レンズ１００ａの画角、すなわち、撮像レンズ１００ａにより結像可能な角度をそれぞれ示しており、Ｄ（対角）、Ｈ（水平）、およびＶ（垂直）という、３次元のパラメータで示している。〔表６〕によれば、撮像レンズ１００ａの画角は、Ｄ（対角）において６２．３°、Ｈ（水平）において５１．７°、Ｖ（垂直）において３９．８°となっており、良好な（広画角となる）値が得られている。
【０１３５】
〔表４〕〜〔表６〕の各種定義、ならびに、〔表４〕〜〔表６〕の見方については、各々〔表１〕〜〔表３〕と同様になるため、これ以上の詳細な説明を省略する。
【０１３６】
図５（ａ）〜（ｃ）は、撮像レンズ１００ａの各種収差の特性を示すグラフであり、（ａ）に球面収差を、（ｂ）に非点収差を、（ｃ）に歪曲を、それぞれ示している。
【０１３７】
図５（ａ）〜（ｃ）に示すグラフによれば、残存収差量が小さい（光軸Ｌａに対する法線方向に対する、各収差の大きさのズレが小さい）ことから、撮像レンズ１００ａは、良好な光学特性を有していることがわかる。
【０１３８】
図６（ａ）には、撮像レンズ１００ａの、空間周波数特性に対するＭＴＦを示している。
【０１３９】
図６（ａ）に示すグラフにおいて、縦軸はＭＴＦの値（単位：無）であり、横軸は空間周波数（単位：ｌｐ／ｍｍ）である。撮像レンズ１００ａでは、空間周波数に対して、０．２程度、もしくはそれ以上の高いＭＴＦ特性を示している。
【０１４０】
図６（ｂ）には、撮像レンズ１００ａの、像面Ｓ９の位置（変位）に対するＭＴＦ変化、いわゆるデフォーカスＭＴＦを示している。
【０１４１】
図６（ｂ）に示すグラフにおいて、縦軸はＭＴＦの値であり、横軸はフォーカスシフト量（単位：ｍｍ）である。撮像レンズ１００ａでは、ＭＴＦの最大値として示された最良像面位置が、互いに同程度のフォーカスシフト量を示す位置に揃った、良好なデフォーカス特性が得られる。
【０１４２】
〔変形例２〕
図１に示す撮像レンズ１００の変形例である図７に示す撮像レンズ１００ｂは、図１に示す撮像レンズ１００のカバーガラスＣＧを薄く形成したものであり、その他の基本構成に関して、概略的には、図１に示す撮像レンズ１００と同様の構成を有しているものである。
【０１４３】
〔表１〕と同様に、〔表７〕は、撮像レンズ１００ｂの設計式、すなわち、撮像レンズ１００ｂの形状を特定するデータ、および、撮像レンズ１００ｂを構成する構成要素の材料の特性を示した表である。
【０１４４】
【表７】
2011145491.tif 000010
【０１４５】
〔表７〕に示すとおり、第１レンズＬ１および第２レンズＬ２はいずれも、アッベ数が４６であり、４５を超えている。
【０１４６】
〔表２〕と同様に、〔表８〕は、撮像レンズ１００ｂにおける、第１レンズＬ１の焦点距離ｆ１、第２レンズＬ２の焦点距離ｆ２、および、数式（１）に係る値「ｆ２／ｆ１」の計算結果を示した表である。
【０１４７】
【表８】
2011145491.tif 000011
【０１４８】
〔表８〕に示すとおり、撮像レンズ１００ｂは、第１レンズＬ１の焦点距離ｆ１が約２．２４４ｍｍとなっており、第２レンズＬ２の焦点距離ｆ２が約−７．６４８ｍｍとなっている。
【０１４９】
従って、撮像レンズ１００ｂにおいて、「ｆ２／ｆ１」の計算結果は、−７．６４８ｍｍ／２．２４４ｍｍ＝約−３．４となる。この結果は、数式（１）に示した関係を満足する値となっている。
【０１５０】
〔表３〕と同様に、〔表９〕は、撮像レンズ１００ｂに対して、像面Ｓ９にセンサ（固体撮像素子）を配置して、撮像モジュールを構成する場合の、仕様の一例を示した表である。
【０１５１】
【表９】
2011145491.tif 000012
【０１５２】
〔表９〕において、〔表３〕との関係上、注目すべき点は、〔表９〕によれば、撮像レンズ１００ｂの画角は、Ｄ（対角）において６５．０°、Ｈ（水平）において５４．０°、Ｖ（垂直）において４１．７°となっており、撮像レンズ１００との比較上、大幅に良好な（広画角となる）値が得られている。
【０１５３】
〔表９〕に示した仕様において、センサとしては、そのサイズが１／５型であり、２Ｍ（メガ）クラスであるものが適用されている。この場合、該センサの画素数は、１３０万画素以上となる。このように、撮像レンズの解像性能に適した、１３０万画素以上のセンサを選択して使用することにより、良好な解像性能を有している撮像モジュールを実現することが可能となる。
【０１５４】
〔表９〕に示した仕様において、項目「画素ピッチ」に示した、センサの画素ピッチは、１．７５μｍであり、２．５μｍ以下である。このように、画素ピッチが２．５μｍ以下であるセンサを用いることにより、高画素のセンサの性能を十分に活かした、撮像モジュールを実現することが可能となる。画素ピッチは、画素のサイズに相当する。
【０１５５】
〔表９〕に示した仕様において、項目「Ｆナンバー」に示した、Ｆナンバーは、２．８０であり、３未満であるため、好ましい。
【０１５６】
〔表７〕〜〔表９〕の各種定義、ならびに、〔表７〕〜〔表９〕の見方については、各々〔表１〕〜〔表３〕と同様になるため、これ以上の詳細な説明を省略する。
【０１５７】
図８（ａ）〜（ｃ）は、撮像レンズ１００ｂの各種収差の特性を示すグラフであり、（ａ）に球面収差を、（ｂ）に非点収差を、（ｃ）に歪曲を、それぞれ示している。
【０１５８】
図８（ａ）〜（ｃ）に示すグラフによれば、残存収差量が小さい（光軸Ｌａに対する法線方向に対する、各収差の大きさのズレが小さい）ことから、撮像レンズ１００ｂは、良好な光学特性を有していることがわかる。
【０１５９】
図９（ａ）には、撮像レンズ１００ｂの、空間周波数特性に対するＭＴＦを示している。
【０１６０】
図９（ａ）に示すグラフにおいて、縦軸はＭＴＦの値（単位：無）であり、横軸は空間周波数（単位：ｌｐ／ｍｍ）である。撮像レンズ１００ｂでは、空間周波数に対して、０．２程度、もしくはそれ以上の高いＭＴＦ特性を示している。
【０１６１】
図９（ｂ）には、撮像レンズ１００ｂの、像面Ｓ９の位置（変位）に対するＭＴＦ変化、いわゆるデフォーカスＭＴＦを示している。
【０１６２】
図９（ｂ）に示すグラフにおいて、縦軸はＭＴＦの値であり、横軸はフォーカスシフト量（単位：ｍｍ）である。撮像レンズ１００ｂでは、ＭＴＦの最大値として示された最良像面位置が、互いに異なる程度のフォーカスシフト量を示す位置にばらついた、デフォーカス特性が得られる。撮像レンズ１００ｂでは、撮像レンズ１００および１００ａと比較して、デフォーカスＭＴＦが若干劣化している。
【０１６３】
このように、撮像レンズ１００ｂは、画角が広くなる一方、各種収差が大きくなる。撮像レンズ１００ｂは、画角を最大限に広くした場合の例を示しており、画角がこれ以上広くなると、収差補正が困難となるため、好ましくないと考えられる。
【０１６４】
〔変形例３〕
図１に示す撮像レンズ１００の変形例である図１０に示す撮像レンズ１００ｃは、図１に示す撮像レンズ１００のカバーガラスＣＧを薄く形成したものであり、その他の基本構成に関して、概略的には、図１に示す撮像レンズ１００と同様の構成を有しているものである。
【０１６５】
〔表１〕と同様に、〔表１０〕は、撮像レンズ１００ｃの設計式、すなわち、撮像レンズ１００ｃの形状を特定するデータ、および、撮像レンズ１００ｃを構成する構成要素の材料の特性を示した表である。
【０１６６】
【表１０】
2011145491.tif 000013
【０１６７】
〔表１０〕に示すとおり、第１レンズＬ１および第２レンズＬ２はいずれも、アッベ数が４６であり、４５を超えている。
【０１６８】
〔表２〕と同様に、〔表１１〕は、撮像レンズ１００ｃにおける、第１レンズＬ１の焦点距離ｆ１、第２レンズＬ２の焦点距離ｆ２、および、数式（１）に係る値「ｆ２／ｆ１」の計算結果を示した表である。
【０１６９】
【表１１】
2011145491.tif 000014
【０１７０】
〔表１１〕に示すとおり、撮像レンズ１００ｃは、第１レンズＬ１の焦点距離ｆ１が約２．４９８ｍｍとなっており、第２レンズＬ２の焦点距離ｆ２が約−４．７０１ｍｍとなっている。
【０１７１】
従って、撮像レンズ１００ｃにおいて、「ｆ２／ｆ１」の計算結果は、−４．７０１ｍｍ／２．４９８ｍｍ＝約−１．９となる。この結果は、数式（１）に示した関係を満足しない値となっている。
【０１７２】
〔表３〕と同様に、〔表１２〕は、撮像レンズ１００ｃに対して、像面Ｓ９にセンサ（固体撮像素子）を配置して、撮像モジュールを構成する場合の、仕様の一例を示した表である。
【０１７３】
【表１２】
2011145491.tif 000015
【０１７４】
〔表１２〕において、〔表３〕との関係上、注目すべき点は、〔表１２〕によれば、撮像レンズ１００ｃの画角は、Ｄ（対角）において５４．７°、Ｈ（水平）において４５．０°、Ｖ（垂直）において３４．５°となっており、撮像レンズ１００との比較上、大幅に悪化しており、非常に狭画角となっている。
【０１７５】
〔表１２〕に示した仕様において、センサとしては、そのサイズが１／５型であり、２Ｍ（メガ）クラスであるものが適用されている。この場合、該センサの画素数は、１３０万画素以上となる。このように、撮像レンズの解像性能に適した、１３０万画素以上のセンサを選択して使用することにより、良好な解像性能を有している撮像モジュールを実現することが可能となる。
【０１７６】
〔表１２〕に示した仕様において、項目「画素ピッチ」に示した、センサの画素ピッチは、１．７５μｍであり、２．５μｍ以下である。このように、画素ピッチが２．５μｍ以下であるセンサを用いることにより、高画素のセンサの性能を十分に活かした、撮像モジュールを実現することが可能となる。画素ピッチは、画素のサイズに相当する。
【０１７７】
〔表１２〕に示した仕様において、項目「Ｆナンバー」に示した、Ｆナンバーは、２．８０であり、３未満であるため、好ましい。
【０１７８】
〔表１０〕〜〔表１２〕の各種定義、ならびに、〔表１０〕〜〔表１２〕の見方については、各々〔表１〕〜〔表３〕と同様になるため、これ以上の詳細な説明を省略する。
【０１７９】
図１１（ａ）〜（ｃ）は、撮像レンズ１００ｃの各種収差の特性を示すグラフであり、（ａ）に球面収差を、（ｂ）に非点収差を、（ｃ）に歪曲を、それぞれ示している。
【０１８０】
図１１（ａ）〜（ｃ）に示すグラフによれば、残存収差量が小さい（光軸Ｌａに対する法線方向に対する、各収差の大きさのズレが小さい）ことから、撮像レンズ１００ｃは、良好な光学特性を有していることがわかる。
【０１８１】
図１２（ａ）には、撮像レンズ１００ｃの、空間周波数特性に対するＭＴＦを示している。
【０１８２】
図１２（ａ）に示すグラフにおいて、縦軸はＭＴＦの値（単位：無）であり、横軸は空間周波数（単位：ｌｐ／ｍｍ）である。撮像レンズ１００ｃでは、空間周波数に対して、０．２程度、もしくはそれ以上の高いＭＴＦ特性を示している。
【０１８３】
図１２（ｂ）には、撮像レンズ１００ｃの、像面Ｓ９の位置（変位）に対するＭＴＦ変化、いわゆるデフォーカスＭＴＦを示している。
【０１８４】
図１２（ｂ）に示すグラフにおいて、縦軸はＭＴＦの値であり、横軸はフォーカスシフト量（単位：ｍｍ）である。撮像レンズ１００ｃでは、ＭＴＦの最大値として示された最良像面位置が、互いに同程度のフォーカスシフト量を示す位置に揃った、良好なデフォーカス特性が得られる。
【０１８５】
このように、撮像レンズ１００ｃは、周辺においても良好な解像性能を有するものの画角が狭くなり過ぎ、撮像レンズとしては不十分な画角仕様となってしまい、この画角の狭さに起因して、広画角の撮像レンズによって撮影された像の周辺部分において良好な解像性能を実現することが不十分であるため、好ましくないと考えられる。
【０１８６】
〔本発明の撮像レンズおよび撮像モジュールの製造方法例１〕
ここからは、本発明の撮像レンズおよび撮像モジュールの製造方法の一例について、図１３（ａ）〜（ｄ）を参照して説明する。
【０１８７】
第１レンズＬ１および第２レンズＬ２は、主に熱可塑性樹脂１３１を用いた射出成形により作製される。熱可塑性樹脂１３１を用いた射出成形では、加熱により軟化した熱可塑性樹脂１３１を、所定の射出圧（およそ、１０〜３０００ｋｇｆ／ｃ）を加えながら金型１３２に押し込んで、熱可塑性樹脂１３１を金型１３２に充填する（図１３（ａ）参照）。なお、便宜上、図１３（ａ）には、第１レンズＬ１成形時の様子のみを図示しているが、第２レンズＬ２成形時においても同様に、金型１３２の形状に応じて、当業者であれば容易に成形を実施することができる。
【０１８８】
複数の第１レンズＬ１が成形された熱可塑性樹脂１３１を、金型１３２から取り出し、１枚の第１レンズＬ１毎に分割する（図１３（ｂ）参照）。便宜上、図示していないが、同様に、複数の第２レンズＬ２が成形された熱可塑性樹脂１３１を、金型１３２から取り出し、１枚の第２レンズＬ２毎に分割する。
【０１８９】
各々分割された１枚の、第１レンズＬ１および第２レンズＬ２を、レンズホルダ１３３に、嵌め込んで、または圧入して、組み立てる（図１３（ｃ）参照）。なお、開口絞り２（図１参照）は、レンズホルダ１３３に形成されている例を示している。図１３（ｃ）に示す撮像モジュール１３６の完成前の中間生成物は、本発明の撮像レンズとして使用可能である。
【０１９０】
図１３（ｃ）に示す撮像モジュール１３６の完成前の中間生成物を、鏡筒１３４に嵌め込んで組み立てる。さらにその後、第１レンズＬ１および第２レンズＬ２を備えて構成される撮像レンズの像面Ｓ９（図１、図４、図７、および図１０参照）に、受光部分にカバーガラス１３５が貼り付けられたセンサ（固体撮像素子）１３７を搭載する。こうして、撮像モジュール１３６は完成する（図１３（ｄ）参照）。
【０１９１】
射出成形レンズである第１レンズＬ１および第２レンズＬ２に用いられる、熱可塑性樹脂１３１の加重たわみ温度は、摂氏１３０度程度である。このため、熱可塑性樹脂１３１は、表面実装で主に適用される技術であるリフローを実施するときの熱履歴（最大温度が摂氏２６０度程度）に対する耐性が不十分であるため、リフロー時に発生する熱に耐えることができない。
【０１９２】
よって、撮像モジュール１３６を基板に実装するときには、センサ１３７部分のみをリフローにより実装する一方、第１レンズＬ１および第２レンズＬ２部分を樹脂で接着する方法、または、第１レンズＬ１および第２レンズＬ２の搭載部分を局所的に加熱するという実装方法が採用されている。
【０１９３】
なお、カバーガラス１３５はセンサ１３７に含まれるものとして、センサ１３７の中にある四角で図示している。撮像モジュール１３６では、センサ１３７の受光部分のみにカバーガラス１３５を貼り付けている例を示している。
【０１９４】
〔本発明の撮像レンズおよび撮像モジュールの製造方法例２〕
続いては、本発明の撮像レンズおよび撮像モジュールの製造方法の別の例について、図１４（ａ）〜（ｄ）を参照して説明する。なお、図１４（ａ）〜（ｄ）に示す撮像レンズおよび撮像モジュールの製造方法は、ウエハレベルレンズプロセスの一例に該当する。
【０１９５】
近年では、第１レンズＬ１および／または第２レンズＬ２の材料として、熱硬化性樹脂またはＵＶ硬化性樹脂を用いた、いわゆる耐熱カメラモジュールの開発が進められている。ここで説明する撮像モジュール１４８は、この耐熱カメラモジュールであり、第１レンズＬ１および第２レンズＬ２の材料として、熱可塑性樹脂１３１（図１３（ａ）参照）のかわりに、熱硬化性樹脂１４１が用いられている。熱硬化性樹脂１４１のかわりに、ＵＶ硬化性樹脂が用いられてもよい。
【０１９６】
第１レンズＬ１および／または第２レンズＬ２の材料として、熱硬化性樹脂１４１またはＵＶ硬化性樹脂を用いる理由は、大量の撮像モジュール１４８を一括して、かつ短時間で製造することにより、撮像モジュール１４８の製造コストの低減を図るためである。特に、第１レンズＬ１および第２レンズＬ２の材料として、熱硬化性樹脂１４１またはＵＶ硬化性樹脂を用いる理由は、撮像モジュール１４８に対して、リフローの実施を可能にするためである。
【０１９７】
撮像モジュール１４８を製造する技術は、多々提案されている。中でも代表的な技術は、上述した射出成形、および、ウエハレベルレンズプロセスである。特に、最近では、撮像モジュールの製造時間およびその他の総合的知見において、より有利であると考えられている、ウエハレベルレンズ（リフローアブルレンズ）プロセスが注目されている。
【０１９８】
ウエハレベルレンズプロセスを実施するにあたっては、熱に起因して、第１レンズＬ１および第２レンズＬ２に塑性変形が発生してしまうことを抑制する必要がある。この必要性から、第１レンズＬ１および第２レンズＬ２としては、熱が加えられても変形しにくい、耐熱性に非常に優れた、熱硬化性樹脂材料またはＵＶ硬化性樹脂材料を用いたウエハレベルレンズ（レンズアレイ）が注目されている。具体的には、摂氏２６０〜２８０度の熱が１０秒以上与えられても、塑性変形しない程度の耐熱性を有している、熱硬化性樹脂材料またはＵＶ硬化性樹脂材料を用いたウエハレベルレンズが注目されている。
【０１９９】
ウエハレベルレンズプロセスでは、熱硬化性樹脂１４１を、レンズアレイ成形型１４２および１４３により、第１レンズアレイ１４４および第２レンズアレイ１４５にそれぞれ一括成型した後、これらを接合し、さらに、センサアレイ１４７を搭載した後、１つの撮像モジュール１４８毎に分割して、撮像モジュール１４８を製造する。
【０２００】
ここからは、ウエハレベルレンズプロセスの詳細について説明する。
【０２０１】
ウエハレベルレンズプロセスでは、まず、多数の凹部が形成されたレンズアレイ成形型１４２と、該凹部の各々に対応する多数の凸部が形成されたレンズアレイ成形型１４３と、により、熱硬化性樹脂１４１を挟み込み、かつ、レンズアレイ成形型１４２および１４３において発生する熱により熱硬化性樹脂１４１を硬化させ、互いに対応する該凹部および凸部の組み合わせ毎にレンズが成形された、レンズアレイを作製する（図１４（ａ）参照）。
【０２０２】
図１４（ａ）に示す工程で作製するレンズアレイは、熱硬化性樹脂１４１に多数の第１レンズＬ１が互いに同一面上に成形された第１レンズアレイ１４４、および、熱硬化性樹脂１４１に多数の第２レンズＬ２が互いに同一面上に成形された第２レンズアレイ１４５である。
【０２０３】
なお、図１４（ａ）に示すとおり、第１レンズアレイ１４４を、レンズアレイ成形型１４２および１４３により作製するためには、第１レンズＬ１の面Ｓ１（図１参照）と反対の形状である凹部が多数形成されたレンズアレイ成形型１４２と、該凹部の各々に対応する、第１レンズＬ１の面Ｓ２（図１参照）と反対の形状である凸部が多数形成されたレンズアレイ成形型１４３と、を用いて、図１４（ａ）に示す工程を実施すればよい。
【０２０４】
便宜上、図示を省略しているが、第２レンズアレイ１４５を、レンズアレイ成形型１４２および１４３により作製するためには、第２レンズＬ２の面Ｓ４（図１参照）と反対の形状（すなわち、面Ｓ４の中央部分ｃ４に対応する部分が凸部であると共に周辺部分ｐ４に対応する部分が凹部である形状）が多数形成されたレンズアレイ成形型１４２と、該形状の各々に対応する、第２レンズＬ２の面Ｓ３（図１参照）と反対の形状である凸部が多数形成されたレンズアレイ成形型１４３と、を用いて、図１４（ａ）に示す工程を実施すればよい。
【０２０５】
第１レンズアレイ１４４と第２レンズアレイ１４５とを、各第１レンズＬ１および第２レンズＬ２に関して、第１レンズＬ１の光軸と、これに対応する第２レンズＬ２の光軸と、の両方が、図１に示す撮像レンズ１００の光軸（同一直線）Ｌａ上に位置するように接合する（図１４（ｂ）参照）。撮像モジュール（撮像レンズを含む）の大量生産の観点から、第１レンズアレイ１４４と第２レンズアレイ１４５とは、第１レンズＬ１の光軸と対応する第２レンズＬ２の光軸との組み合わせの少なくとも２組の各々に関して、これらの両光軸が互いに、光軸Ｌａ上に位置するように貼り合せる。
【０２０６】
具体的に、第１レンズアレイ１４４と第２レンズアレイ１４５との間での位置あわせを行う調芯方法としては、第１レンズＬ１および第２レンズＬ２の各光軸同士を、光軸Ｌａ上に揃える以外にも、撮像しながら調芯を図る等、色々な手法が挙げられ、また、位置あわせは、ウエハのピッチ仕上がり精度にも影響される。
【０２０７】
また、このとき、第１レンズアレイ１４４における各凸部である、各第１レンズＬ１の面Ｓ１（図１参照）に対応する部分を露出させるように、開口絞り２（図１参照）を取り付けてもよい。但し、開口絞り２を取り付けるタイミング、および取り付けの手法については、特に限定されない。
【０２０８】
図１４（ｂ）に示す、第１レンズアレイ１４４と第２レンズアレイ１４５とを接合したものに対して、各光軸Ｌａと対応する各センサ１４９の中心１４９ｃとが重なり合うように、多数のセンサ１４９が一体的に搭載されたセンサアレイ１４７を搭載する（図１４（ｃ）参照）。各センサ１４９はそれぞれ、対応する各撮像レンズ１００の像面Ｓ９（図１、図４、図７、および図１０参照）に配置され、さらに、受光部分にカバーガラス１４６が貼り付けられている。
【０２０９】
図１４（ｃ）に示す工程により、アレイ状となっている多数の撮像モジュール１４８を、第１レンズＬ１の光軸と対応する第２レンズＬ２の光軸との組み合わせの１組を単位として、つまり換言すれば、１つの撮像モジュール１４８毎に（最低限、１つの撮像モジュール１４８を単位として）分割して、撮像モジュール１４８は完成する（図１４（ｄ）参照）。
【０２１０】
なお、カバーガラス１４６はセンサ１４９に含まれるものとして、センサ１４９の中にある四角で図示している。撮像モジュール１４８では、センサ１４９の受光部分のみにカバーガラス１４６を貼り付けている例を示している。
【０２１１】
なお、図１４（ｃ）に示す、各センサ１４９（センサアレイ１４７）を搭載する工程を省略し、カバーガラス１４６のみを搭載することで、撮像モジュール１４８から撮像素子を省略すれば、ウエハレベルレンズプロセスにより、撮像レンズを製造することも容易に可能である。
【０２１２】
但し、カバーガラス１３５および１４６を取り付けるタイミング、および取り付けの手法については、特に限定されない。このとおり、本発明の撮像レンズまたは撮像モジュールに、カバーガラス（像面保護ガラス）を設ける形態は、図１等に示す形態であっても、図１３（ｄ）および図１４（ｄ）に示す形態であっても、どちらでもよい。
【０２１３】
以上、図１４（ａ）〜（ｄ）に示すウエハレベルレンズプロセスにより、多数の撮像モジュール１４８を一括して製造することで、撮像モジュール１４８の製造コストは、低減することができる。さらに、完成した撮像モジュール１４８を、基板に実装するときにおいて、リフローにより発生する熱（最大温度が摂氏２６０度程度）に起因して塑性変形してしまうことを避けるため、第１レンズＬ１および第２レンズＬ２は、摂氏２６０〜２８０度の熱に対して１０秒以上の耐性を有している、熱硬化性樹脂またはＵＶ硬化性樹脂を用いるのが、より好ましい。これにより、撮像モジュール１４８に対しては、リフローを施すことが可能となる。ウエハレベルでの製造工程に、さらに、耐熱性を有している樹脂材料を適用することで、リフローに対応可能な撮像モジュールを安価に製造することが可能である。
【０２１４】
ここからは、撮像モジュール１４８を製造する場合に好適な、第１レンズＬ１および第２レンズＬ２の材料について考察する。
【０２１５】
プラスチックレンズ材料は、従来、熱可塑性樹脂が主に用いられてきたので、材料の幅広い品揃えがある。
【０２１６】
一方、熱硬化性樹脂材料およびＵＶ硬化性樹脂材料は、第１レンズＬ１および第２レンズＬ２の用途として開発途上にあることから、現状、材料の品揃えおよび光学定数に関して熱可塑性材料に劣り、また、高価である。一般的に、光学定数は、低屈折率かつ低分散材料であるのが好ましい。また、光学設計においては、幅広い光学定数の選択肢があることが好ましい。
【０２１７】
〔本発明の撮像モジュールの具体例〕
図１５は、撮像レンズ１００を用いたフォーカス調整レス構造である撮像モジュール１５０の、ワイヤーボンディングタイプの構成を示す断面図である。
【０２１８】
撮像モジュール１５０は、撮像レンズ１００を備えている。具体的に、撮像モジュール１５０は、開口絞り２、第１レンズＬ１、第２レンズＬ２、および、カバーガラスＣＧを備えている。
【０２１９】
撮像モジュール１５０は、基板１５１を備えている。基板１５１の上には、撮像レンズ１００によって結像された像を、光として受光するものであり、電子撮像素子等により構成されたセンサ（固体撮像素子）１５２が設けられている。センサ１５２は、撮像レンズ１００の像面Ｓ９（図１参照）に配置されており、その仕様は、〔表３〕、〔表６〕、〔表９〕、および、〔表１２〕の各々の、項目「適用センサ」にそれぞれ示した仕様であるのが好ましい。すなわち、センサ１５２は、画素のサイズが２．５μｍ以下であり、画素数が１３０万画素以上（例えば、２Ｍクラス）であるのが好ましい。基板１５１とセンサ１５２とは、周知のワイヤーボンディング方式により接続されている。
【０２２０】
カバーガラスＣＧは、第２レンズＬ２とセンサ１５２との間に設けられている。撮像モジュール１５０の構成の場合、カバーガラスＣＧとセンサ１５２との間隔は、０．１９５ｍｍ以上であるのが好ましい。
【０２２１】
レンズホルダ１５３は、第１レンズＬ１、第２レンズＬ２、カバーガラスＣＧ、および、センサ１５２を覆うように、基板１５１上に設けられている。
【０２２２】
図１６は、撮像レンズ１００を用いたフォーカス調整レス構造である撮像モジュール１６０のガラスオンウエハタイプの構成を示す断面図である。
【０２２３】
図１５に示す撮像モジュール１５０との相違点として、図１６に示す撮像モジュール１６０は、センサ１５２の受光部分のみにカバーガラスＣＧを貼り付けている例を示している。また、図１６に示す撮像モジュール１６０では、基板１５１でなく、ガラス基板１６１が使用されている。
【０２２４】
以上の構成を有している撮像モジュール１５０および１６０は、撮像レンズ１００のフォーカス位置を調整するための機構が備えられておらず、さらに、第１レンズＬ１および第２レンズＬ２を収容する鏡筒（図１３（ｄ）に示す鏡筒１３４参照）が備えられていない。
【０２２５】
図１７は、撮像レンズ１００を用いたフォーカス調整レス構造である撮像モジュール１７０のガラスオンウエハタイプの構成を示す断面図である。
【０２２６】
図１６に示す撮像モジュール１６０との相違点として、図１７に示す撮像モジュール１７０は、レンズホルダ１５３が備えられていない。また、第２レンズＬ２のコバは、撮像レンズ１００の像面Ｓ９（図１参照）側に突出しており、センサ１５２およびカバーガラスＣＧ等に対して積層されている。
【０２２７】
以上の構成を有している撮像モジュール１７０は、撮像レンズ１００のフォーカス位置を調整するための機構が備えられておらず、さらに、第１レンズＬ１および第２レンズＬ２を収容する鏡筒（図１３（ｄ）に示す鏡筒１３４参照）が備えられておらず、さらに、第１レンズＬ１および第２レンズＬ２が組み込まれるレンズホルダが備えられていない。
【０２２８】
撮像レンズ１００は、公差感度に優れる、すなわち、製造ばらつき等に起因する各種ばらつきに対する許容範囲が広い、という特長を有しているものである。このことから、撮像モジュール１５０、１６０、および１７０は、光軸方向における、最良像面位置に対するセンサ１５２の位置を調整する必要がないので、該調整のために従来必要であった、撮像レンズ１００のフォーカス位置を調整するための機構を省略することが可能となる。そして、該機構を省略することにより、撮像モジュール１５０、１６０、および１７０は、製造コストを低減することが可能となる。
【０２２９】
まら、上記の構成によれば、撮像モジュール１５０、１６０、および１７０は、鏡筒および／またはレンズホルダが省略されているため、製造工程の削減および構成部品の削減が可能となり、低コスト化を実現することが可能となる。
【０２３０】
なお、図１５〜図１７では、撮像レンズ１００を用いて構成された撮像モジュールであるものとして説明を行ったが、本発明の撮像モジュールは、撮像レンズ１００ａまたは１００ｂを用いて構成された撮像モジュールであってもよい。
【０２３１】
また、本発明の携帯情報機器は、上記本発明の撮像モジュールを備える構成であり、この構成によれば、本発明の携帯情報機器は、備えられた、本発明の撮像モジュール、ひいては、本発明の撮像レンズと同様の効果を奏する。このような携帯情報機器の一例としては例えば、情報携帯端末および携帯電話機等の各種携帯端末が挙げられる。
【０２３２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３３】
本発明は、携帯端末のデジタルカメラ等への搭載を目的とした、撮像レンズ、撮像モジュール、および、携帯情報機器に適用可能である。特に、本発明は、固体撮像素子を用いた撮像モジュール、この撮像モジュールへの適用に都合のよい撮像レンズ、および、この撮像モジュールを備えた携帯情報機器に適用可能である。
【符号の説明】
【０２３４】
１  物体
２  開口絞り
Ｌ１  第１レンズ
Ｌ２  第２レンズ
ＣＧ、１３５、１４６  カバーガラス
Ｓ９  像面
１００、１００ａ〜１００ｃ  撮像レンズ
１３３、１５３  レンズホルダ
１３４  鏡筒
１３６、１４８、１５０、１６０、１７０  撮像モジュール
１３７、１４９、１５２  センサ
１４１  熱硬化性樹脂
１４４  第１レンズアレイ
１４５  第２レンズアレイ
【図１】
2011145491.tif 000016
【図２】
2011145491.tif 000017
【図３】
2011145491.tif 000018
【図４】
2011145491.tif 000019
【図５】
2011145491.tif 000020
【図６】
2011145491.tif 000021
【図７】
2011145491.tif 000022
【図８】
2011145491.tif 000023
【図９】
2011145491.tif 000024
【図１０】
2011145491.tif 000025
【図１１】
2011145491.tif 000026
【図１２】
2011145491.tif 000027
【図１３】
2011145491.tif 000028
【図１４】
2011145491.tif 000029
【図１５】
2011145491.tif 000030
【図１６】
2011145491.tif 000031
【図１７】
2011145491.tif 000032